(57)【要約】  可燃性ロウの本体および芯を含むキャンドルであって、該本体中に本体のロウが有するより高い融点を有する可燃性ロウの含有物が分散し、前記含有物が調整剤、典型的にはフレグランスまたは火工術的物質を含む、前記キャンドル。
2011513557.tif 000002
【特許請求の範囲】
【請求項１】
可燃性ロウの本体および芯を含むキャンドルであって、該本体中に本体のロウが有するより高い融点を有する可燃性ロウの含有物が分散し、前記含有物が調整剤を含む、前記キャンドル。
【請求項２】
含有物が、密度調整材料をその中に含有することにより可燃性ロウと同じ密度を有する、請求項１に記載のキャンドル。
【請求項３】
含有物が、芯にごく接近して保持される、請求項１に記載のキャンドル。
【請求項４】
含有物の保持が、
（ａ）含有物を芯の周りに積み重ねること、および
（ｂ）含有物を芯に接合させること
から選択されることによる、請求項３に記載のキャンドル。
【請求項５】
芯の周りに積み重なる含有物が、少なくとも部分的円形の形状である、請求項４に記載のキャンドル。
【請求項６】
調整剤が、１リットル当たり３００ナノグラムより少ない知覚閾値を有する成分を少なくとも２０％含む少なくとも１種のフレグランスである、請求項１に記載のキャンドル。
【請求項７】
可燃性ロウの本体および芯を含むキャンドル内に調整剤を提供する方法であって、本体のロウが有するよりも高い融点を有する可燃性ロウの調整剤を含む含有物の本体全体への提供を含む、前記方法。
【発明の詳細な説明】
【技術分野】
【０００１】
本発明は、キャンドルに関する。
【背景技術】
【０００２】
キャンドルについて、単に美的に楽しませる照明のためではなく、他の利益の提供のためとしても、近年相当な関心が持たれている。これらの第１のもののうちの１つは、フレグランスが、キャンドルが燃焼するにつれ分配され、キャンドルからの熱およびそれにより起こる空気の流れがフレグランスの拡散に役立つような、キャンドルにおけるフレグランスの使用である。提供されてきた他の利益は、色の変化および輝きの効果であり、両方が、キャンドルのロウ内への選択された微粉金属または金属塩の分散により達成される。別の所望される効果は、フレグランスの変化を持たせることである。これは、一般に、キャンドルを層状に作り、各層のロウに異なるフレグランスを含ませることにより達成される。
【０００３】
これらの方法の全ては、大きな商業的成功を享受するために大変上手くいく一方、難点がある。例えば、炎の色の変化または輝きの効果を生むために必要とされる金属および金属塩の場合、金属または金属塩が、キャンドルのロウ中にその製造前に均一に分布されなければならない。これは、炎に到達する部分だけが効果を起こすことから、この比較的高価な材料の多くが実際には無駄になることを意味する。マルチフレグランスキャンドルの場合、各層が順番に注がれなければならないため製造工程がより長い。
【発明の概要】
【０００４】
ここで、より効率的、より効果的およびより高価でないやり方でこれら全ての利益を提供することが可能であることが見出された。したがって、可燃性ロウの本体および芯を含むキャンドルであって、該本体中に本体のロウが有するより高い融点を有する可燃性ロウの含有物が分散し、前記含有物が調整剤を含む、前記キャンドルを提供する。
【０００５】
「調整剤」は、照明以外の特性を提供するあらゆる物質または物質の混合物を意味する。調整剤の例は、フレグランスおよび微粉金属および金属塩を含むがこれらに制限されず、輝きおよび他の火工術的効果および炎の色の変化などの、関心をひき、楽しませる視覚的効果を与えるためのものである。２種以上の調整剤、例えば、フレグランスおよび火工術的効果の両方、を提供することが当然可能である。
【０００６】
したがって、可燃性ロウの本体および芯を含むキャンドル内に調整剤を提供する方法であって、本体のロウが有するよりも高い融点を有する可燃性ロウの調整剤を含む含有物の本体全体への提供を含むものもまた、提供する。
【０００７】
「融点」は、ロウが完全に液体である温度を意味する。純粋な化合物とは違って、ロウは、はっきりした融点を有さないが、ある範囲の温度で軟化および溶融する。温度範囲の上限を、本開示の目的のための融点と考える。キャンドルの本体のロウの場合、ロウは、一般に、典型的に約５３℃〜５７℃の融点を有する、パラフィンロウおよび蜜ロウなどの比較的低い融点の種類である。
【０００８】
調整剤を含むロウ（以下、「調整剤ロウ」）は、キャンドル本体のロウが有するよりも高い融点を有する。このことは、含有物は、微粉化した形状で液状の本体ロウに加えられ、その完全性を保持し得るために必要である。調整剤ロウの融点は、したがって、この処理に耐えることができる程度の十分に高い温度でなければならない。好適なロウの選択は、十分当該技術分野における標準技術の範囲内である。典型例は、約７５℃〜７７℃の範囲の融点を典型的に有する、微結晶性ロウ（「マイクロワックス(microwax)」として知られることもある）を含む。
【０００９】
調整剤ロウが、高融点を有するという事実は、本体のロウよりも高い密度を有することをしばしば意味し得、ひいては、含有物が加えられるとき、溶融した本体のロウの底に沈む傾向を有するであろうことを意味し得る。これは、多くの方法で対抗することができる。一つは、含有物のあらゆる沈殿が層の内でだけ起こるように、キャンドルを層状に創作することである。これは、「時間を定めた」効果が所望される、すなわち、調整剤の効果が選択された時間間隔で起こるので、有用な方法である。もう一つは、含有物にその密度が溶融された本体ロウと同じ値になるよう調整する材料を加えることである。かかる材料の例は、本質的に軽く、空気を含む材料、例えば、中空ガラスまたはプラスチック球を含む。
【００１０】
特定の態様において、含有物が、キャンドル芯に付着している。「付着」により、それらは、芯にごく接近して保持されることを意味する。これは、あらゆる好適な方法において達成され得、当業者は直ぐに可能性を理解するであろう。いくつかの例示的な、非限定の例は：
−  含有物が、それらを芯の周りに積み重ねることができる形状、例えば、少なくとも部分円形である；
−  含有物が、芯の周りで部分的に融解していること、接着剤または機械的接合などのあらゆる好適な手段により芯に接合している。
この態様は、調整剤が全て炎に曝露される利点を有する。
【００１１】
調整剤の全ては、同じである必要はなく、特に新規な効果を、芯に付着した含有物内の調整剤の種類を替えることにより実現してもよい。例えば、いくつかの異なる種類のフレグランスを、異なる調整剤ロウの中に取り込んで用いてもよく、これらは、キャンドルの寿命の間、１または２以上の時点でフレグランスの変化があるように、所定の順序で芯に付着される。もう一つの可能性は、異なる調整剤を用いることによる様々な色彩的または火工術的効果の達成である。
【００１２】
当然、キャンドル自体の本体内に調整剤を、それらが単純に本体のロウの中へ取り込まれる当該技術分野により認識された方法で有することも可能である。
【００１３】
特定の態様において、含有物内の調整剤は、少なくとも１種のフレグランスである。フレグランスは、キャンドルにおける使用のために好適であることが知られた広範囲のフレグランスのいずれかから選択されてもよい。上述のとおり、含有物内、およびキャンドル自体の本体内に、異なるフレグランスを有することが可能である。
【００１４】
フレグランスの使用の特定の態様において、含有物材料内のフレグランスが、１リットルあたり３００ナノグラムより少ない知覚閾値を有する成分を少なくとも２０％含む。知覚閾値は、フレグランスの技術分野において周知のパラメータであり、多くの異なる方法、例えば、Neuener-Jehle and Etzweiler in “Art Science and Technology” (ed. Lampaski and Muller, Elsevier 1991),.ch.6, 153-212により測定され得る。特定の態様において、知覚閾値は、１リットルあたり２０ナノグラムより少なく、１リットルあたり約１０ナノグラムより少ない。
【００１５】
上述のキャンドルは、容易に作製でき、作用が効果的である。
ここで、キャンドルをさらに図を参照にして説明するが、これらは好ましい態様を表現し、決して限定とは考えられない。当業者は、当該技術分野の標準技術の実施により、本明細書に具体的に記載されていないが、すべてが本開示の範囲内にある多数の態様を実現することが容易に可能である。
【図面の簡単な説明】
【００１６】
【図１】図１は、本開示の一態様を通じて図式的な鉛直断面を図示する。
【図２】図２は、本開示のもう一つの態様を通じて図式的な鉛直断面を図示する。
【００１７】
これらの態様の両方において、用いられるロウは、以下のとおりである：
本体のロウ−パラフィンロウ（融点、５３℃〜５７℃）
調整剤ロウ−マイクロワックス(Microwax)（融点、７５℃〜７７℃）
【００１８】
図１において、キャンドルをガラス瓶１内に形成する。中心におよび垂直に載せた芯２を、固定された支持体３により瓶の底部に接合し、恒常的に底部に接合する。芯は、上述の本体のロウ４により取り囲まれる。このロウ内に、調整剤ロウのビーズ５が、分散される。これらは、所望の調整剤材料を含み、また、溶融した本体のロウに加えられたとき、浮きも沈みもしない傾向となるよう、５％のＱ−Ｃｅｌｌ７０１９ガラス球の取り込みによりそれらの密度が調整される。
【００１９】
図１のキャンドルは、本体のロウを溶融し、調整剤ロウのビーズを加え、それらをその中に分散させる間、融解状態に（しかし、調整剤ロウの融点以下の温度で）維持することにより作られる。そして、融解混合物は、芯２が既に設置された瓶１に注がれ、固まらせる。
【００２０】
図２において、調整剤ロウは、トロイダル(toroidal)要素６の形状をしている。これらは、本体のロウが瓶に注がれる前に、あらかじめ形成され、芯２の周りに設置される。
【図１】
2011513557.tif 000003
【図２】
2011513557.tif 000004
【国際調査報告】
2011513557.tif 000005
2011513557.tif 000006
2011513557.tif 000007